(57)【要約】【課題】  正解できる学力があるにも係わらず、試験では解答に集中できずに誤解答をしてしまう児童の学力を適切に把握できる試験問題用紙を提供する。【解決手段】  第１の試験問題解答用紙１１と、複数枚で１セットの第２の試験問題解答用紙１２とが用意される。第１の試験問題解答用紙１１及び第２の試験問題解答用紙１２には、複数の試験問題およびその解答欄が所定の配置で印刷されている。第２の試験問題解答用紙１２の筆算スペースは第１の試験問題解答用紙１１より大きい。第２の試験問題解答用紙１２には試験問題とは無関係の絵柄はない。【選択図】図１
2017132132.tif 000002
【特許請求の範囲】
【請求項１】
複数の試験問題およびその解答欄が所定の配置で印刷された第１の試験問題解答用紙と、
１セットが複数枚の第２の試験問題解答用紙と、
を有し、
前記第２の試験問題解答用紙は、前記複数の試験問題のうち一部の前記試験問題が、前記第１の試験問題解答用紙に印刷された文字サイズより大きく印刷され、当該一部の試験問題の解答欄が前記第１の試験問題解答用紙の解答欄より大きい
試験問題解答用紙。
【請求項２】
前記試験問題は算数あるいは数学の問題であり、
前記第２の試験問題解答用紙は、筆算スペースが前記第１の試験問題解答用紙より大きい
請求項１に記載の試験問題解答用紙。
【請求項３】
前記第１の試験問題解答用紙には、前記試験問題とは無関係の絵柄が印刷されており、
前記第２の試験問題解答用紙には、前記絵柄は印刷されていない
請求項１または請求項２に記載の試験問題用紙。
【請求項４】
前記第２の試験問題解答用紙には漢字にルビが印刷されている
請求項１〜３のいずれかに記載の試験問題用紙。
【請求項５】
前記第２の試験問題解答用紙の文章にはわかちがある
請求項１〜４のいずれかに記載の試験問題用紙。
【請求項６】
複数の試験問題およびその解答欄が所定の配置で印刷された第１の試験問題解答用紙と、
複数の第２の試験問題解答用紙とを用いて試験を行う試験方法であって、
前記第２の試験問題解答用紙は、前記複数の試験問題のうち一部の前記試験問題が、前記第１の試験問題解答用紙に印刷された文字サイズより大きく印刷され、当該一部の試験問題の解答欄が前記第１の試験問題解答用紙の解答欄より大きく、
前記第１の試験問題解答用紙を第１の属性の解答者に配布し、
前記第２の試験問題解答用紙を第２の属性の解答者に配布する
試験方法。
【請求項７】
複数の試験問題およびその解答欄が所定の配置で印刷された第１の試験問題解答用紙と、
１セットが複数枚の第２の試験問題解答用紙と、
を有し、
前記第２の試験問題解答用紙は、前記複数の試験問題のうち一部の前記試験問題が、前記第１の試験問題解答用紙に印刷された文字サイズより大きく印刷され、当該一部の試験問題の解答欄が前記第１の試験問題解答用紙の解答欄より大きい
試験問題解答用紙データを
ネットワークを介してダウンロードにより提供する方法。
【請求項８】
複数の試験問題およびその解答欄が所定の配置で印刷された第１の試験問題解答用紙と、
１セットが複数枚の第２の試験問題解答用紙と、
を有し、
前記第２の試験問題解答用紙は、前記複数の試験問題のうち一部の前記試験問題が、前記第１の試験問題解答用紙に印刷された文字サイズより大きく印刷され、当該一部の試験問題の解答欄が前記第１の試験問題解答用紙の解答欄より大きい
試験問題解答用紙データを
記録した記録媒体。
【発明の詳細な説明】
【技術分野】
【０００１】
本発明は、試験問題解答用紙および試験方法に関するものである。
【背景技術】
【０００２】
通常、小学生や中学生などの試験問題解答用紙は、例えば複数の試験問題が印刷されている。
【発明の概要】
【発明が解決しようとする課題】
【０００３】
しかしながら、試験問題解答用紙に多くの問題が印刷されていると、解答中の一つ問題に集中できず、正解できる学力があるにも係わらず、試験では誤解答をしてしまう児童がいる。
また、算数の試験問題用紙では、筆算スペースが小さいために、誤解答をしてしまう児童もいる。
【０００４】
本発明はかかる事情に鑑みてなされたものであり、その目的は、正解できる学力があるにも係わらず、試験では解答に集中できずに誤解答をしてしまう児童の学力を適切に把握できる試験問題用紙を提供することにある。
【課題を解決するための手段】
【０００５】
上述した従来技術の問題を解決するために、本発明の試験問題解答用紙は、複数の試験問題およびその解答欄が所定の配置で印刷された第１の試験問題解答用紙と、１セットが複数枚の第２の試験問題解答用紙と、を有し、前記第２の試験問題解答用紙は、前記複数の試験問題のうち一部の前記試験問題が、前記第１の試験問題解答用紙に印刷された文字サイズより大きく印刷され、当該一部の試験問題の解答欄が前記第１の試験問題解答用紙の解答欄より大きい。
【０００６】
この構成によれば、第１の試験問題解答用紙は通常の生徒に配布される。これにより、通常の生徒は従来と同じ条件で試験を受けることができる。また、第２の試験問題解答用紙は、第１の試験問題解答用紙では集中して解答ができない生徒に配布される。ここで、第２の試験問題解答用紙は、前記第１の試験問題解答用紙に印刷された文字サイズより大きく印刷され、当該一部の試験問題の解答欄が前記第１の試験問題解答用紙の解答欄より大きいため、第１の試験問題解答用紙では集中して解答ができない生徒でも、試験問題を集中して読んで解答ができる。そのため、このような生徒の学力を点数に適切に反映できる。
【０００７】
好適には本発明の試験問題解答用紙の前記試験問題は算数あるいは数学の問題であり、前記第２の試験問題解答用紙は、筆算スペースが前記第１の試験問題解答用紙より大きい。
【０００８】
この構成によれば、第１の試験問題解答用紙では集中して解答ができない生徒が、広い筆算スペースを使って筆算を適切に行うことができる。
【０００９】
好適には本発明の試験問題解答用紙の前記第１の試験問題解答用紙には、前記試験問題とは無関係の絵柄が印刷されており、前記第２の試験問題解答用紙には、前記絵柄は印刷されていない。
また、前記第２の試験問題解答用紙には漢字にルビが印刷されている。
さらに、前記第２の試験問題解答用紙の文章にはわかちがある。
【００１０】
この構成によれば、前記第２の試験問題解答用紙には前記絵柄は印刷されていないため、第１の試験問題解答用紙では集中して解答ができない生徒が絵柄で問題解答への注意力を低下させることがない。
【００１１】
本発明の試験方法は、複数の試験問題およびその解答欄が所定の配置で印刷された第１の試験問題解答用紙と、複数の第２の試験問題解答用紙とを用いて試験を行う試験方法であって、前記第２の試験問題解答用紙は、前記複数の試験問題のうち一部の前記試験問題が、前記第１の試験問題解答用紙に印刷された文字サイズより大きく印刷され、当該一部の試験問題の解答欄が前記第１の試験問題解答用紙の解答欄より大きく、前記第１の試験問題解答用紙を第１の属性の解答者に配布し、前記第２の試験問題解答用紙を第２の属性の解答者に配布する。
【発明の効果】
【００１２】
本発明によれば、正解できる学力があるにも係わらず、試験では解答に集中できずに誤解答をしてしまう児童の学力を適切に把握できる試験問題用紙を提供することができる。
【図面の簡単な説明】
【００１３】
【図１】図１は、本発明の実施形態に係わる試験問題解答用紙の構成図である。
【図２】図２は、図１に示す第１の試験問題解答用紙を説明するための図である。
【図３】図３は、図１に示す第２の試験問題解答用紙１２の最初の１枚目を説明するための図である。
【図４】図４は、図１に示す第２の試験問題解答用紙１２の最初の２枚目を説明するための図である。
【図５】図５は、図１に示す第２の試験問題解答用紙１２の最初の３枚目を説明するための図である。
【発明を実施するための形態】
【００１４】
以下、本発明の実施形態に係わる試験問題解答用紙について説明する。
図１は、本発明の実施形態に係わる試験問題解答用紙１の構成図である。
図１に示すように、試験問題解答用紙１は、１種類の試験問題解答用紙について、第１の試験問題解答用紙１１と、複数枚で１セットの第２の試験問題解答用紙１２とが用意される。
試験問題解答用紙１は、算数の試験問題解答用紙である。
【００１５】
図２は、図１に示す第１の試験問題解答用紙１１を説明するための図である。
図２に示すように、第１の試験問題解答用紙１１には、複数の試験問題およびその解答欄が所定の配置で印刷されている。また、第１の試験問題解答用紙１１には、筆算スペースがある。
また、第１の試験問題解答用紙１１には、試験問題とは無関係の絵柄が印刷されている。
【００１６】
図３〜図５は、図１に示す第２の試験問題解答用紙１２の一部（最初の３枚）を説明するための図である。
第２の試験問題解答用紙１２は、９枚で１セットである。
９枚の第２の試験問題解答用紙１２１〜１２９には、第１の試験問題解答用紙１１に印刷された試験問題のうち一部の試験問題が、第１の試験問題解答用紙１１に印刷された文字サイズより大きく印刷され、当該一部の試験問題の解答欄が第１の試験問題解答用紙１１の解答欄より大きい。
【００１７】
第２の試験問題解答用紙１２の筆算スペースは、第１の試験問題解答用紙１１の筆算スペースより大きい。
第２の試験問題解答用紙１２には、第１の試験問題解答用紙１１とは異なり絵柄は印刷されていない。
また、第２の試験問題解答用紙１２には漢字にルビが印刷されている。
さらに、第２の試験問題解答用紙１２の文章（問題文）にはわかちがある。
【００１８】
本実施形態によれば、上述したように、第１の試験問題解答用紙１１は通常の生徒に配布される。これにより、通常の生徒は従来と同じ条件で試験を受けることができる。
また、第２の試験問題解答用紙１２は、第１の試験問題解答用紙１１では集中して解答ができない生徒に配布される。ここで、第２の試験問題解答用紙１２は、第１の試験問題解答用紙１１に印刷された文字サイズより大きく印刷され、当該一部の試験問題の解答欄が第１の試験問題解答用紙１１の解答欄より大きいため、第１の試験問題解答用紙１１では集中して解答ができない生徒でも、試験問題を集中して読んで解答ができる。そのため、このような生徒の学力を点数に適切に反映できる。
【００１９】
また、試験問題解答用紙１では、第１の試験問題解答用紙では集中して解答ができない生徒が、第２の試験問題解答用紙１２において広い筆算スペースを使って筆算を適切に行うことができる。
【００２０】
また、試験問題解答用紙１によれば、第２の試験問題解答用紙１２には前記絵柄は印刷されていないため、第１の試験問題解答用紙１１では集中して解答ができない生徒が絵柄で問題解答への注意力を低下させることがない。
【００２１】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００２２】
上述した実施形態では、試験問題解答用紙１として算数の問題を例示したが、国語、理科等の他の教科の試験問題解答用紙でもよい。
また、上述した実施形態では、第２の試験問題解答用紙１２に、大問１問とその解答欄を印刷する場合を例示したが、２以上の大問とその解答欄を印刷するようにしてもよい。
また、第２の試験問題解答用紙１２の数は複数であれば特に限定されない。
また、試験問題解答用紙１のデータは、インターネットを介してウェブからのダウンロード形式で提供されてもよい。また、試験問題解答用紙１のデータをＣＤなどの記録媒体に記録して提供してもよい。
【産業上の利用可能性】
【００２３】
本発明は、試験の分野に適用可能である。
【符号の説明】
【００２４】
１…試験問題解答用紙
１１…第１の試験問題解答用紙
１２…第２の試験問題解答用紙
【図１】
2017132132.tif 000003
【図２】
2017132132.tif 000004
【図３】
2017132132.tif 000005
【図４】
2017132132.tif 000006
【図５】
2017132132.tif 000007